(57)【要約】【課題】  施工性が良く、操作が容易で、停電時でも窓を開閉操作できる窓遠隔開閉装置を提供する。【解決手段】  電動機１２の回転駆動により開閉される窓８において、窓８から離れた場所で操作可能な操作部１０には、手動式のハンドル１０ａを回して発電することのできる発電機１３が設けられ、この発電機１３と電動機１２間は電気コード１４でつながれている。【選択図】        図２
2004339919.tif 000002
【特許請求の範囲】
【請求項１】
電動機の回転駆動により開閉される窓において、該窓から離れた場所で操作可能な操作部には、手動式の発電機が設けられ、該発電機と前記電動機が電気コードでつながれていることを特徴とする窓遠隔開閉装置。
【請求項２】
前記電動機が直流電源によって駆動されるタイプであり、前記発電機は、直流電源を発電できるタイプであることを特徴とする請求項１に記載の窓遠隔開閉装置。
【請求項３】
前記操作部には、前記窓の開閉駆動状況が確認できる表示部が設けられていることを特徴とする請求項２に記載の窓遠隔開閉装置。
【請求項４】
前記表示部は、前記窓が開く方向に駆動中に点灯される「開」状態表示部と、窓が閉じる方向に駆動中に点灯される「閉」状態表示部を備え、窓が開閉範囲外に達した場合は、前記「開」，「閉」状態表示部が消灯されるように構成されていることを特徴とする請求項３に記載の窓遠隔開閉装置。
【請求項５】
前記窓が、浴室に設けられた浴室窓であり、前記操作部は、浴室の洗い場から操作可能な浴室内に配置されていることを特徴とする請求項１または請求項２に記載の窓遠隔開閉装置。
【請求項６】
前記窓が、浴室に設けられた浴室窓であり、前記操作部は、浴室外に配置されていることを特徴とする請求項３または請求項４に記載の窓遠隔開閉装置。
【発明の詳細な説明】
【技術分野】
【０００１】
この発明は、窓を遠隔操作により開閉できる窓遠隔開閉装置に関するものである。
【背景技術】
【０００２】
従来、住宅における窓を、ワイヤー，クランクギヤ等の機械的な手段で接続して、このワイヤー，クランクギヤ等を介して遠隔操作により開閉できるように構成したものがある（例えば特許文献１参照。）。
【特許文献１】特開平９−７８９５６号公報
【発明の開示】
【発明が解決しようとする課題】
【０００３】
従来では、ワイヤー，クランクギヤ等の機械的な接続手段で、窓を離れた場所から開閉できる構造であり、ワイヤー，クランクギヤ等を取り回して設置するには、制約が多く、バリエーションの展開が難しく、位置的，距離的な自由度が少なく、施工性が悪いという問題点があった。
【課題を解決するための手段】
【０００４】
本発明は、上記従来の問題点に鑑み案出したものであって、設置の制約が少なくて施工性が良く、操作が容易な窓遠隔開閉装置を提供せんことを目的とし、請求項１は、電動機の回転駆動により開閉される窓において、該窓から離れた場所で操作可能な操作部には、手動式の発電機が設けられ、該発電機と前記電動機が電気コードでつながれていることである。
また、請求項２は、前記電動機が直流電源によって駆動されるタイプであり、前記発電機は、直流電源を発電できるタイプであることである。
また、請求項３は、前記操作部には、前記窓の開閉駆動状況が確認できる表示部が設けられていることである。
また、請求項４は、前記表示部は、前記窓が開く方向に駆動中に点灯される「開」状態表示部と、窓が閉じる方向に駆動中に点灯される「閉」状態表示部を備え、窓が開閉範囲外に達した場合は、前記「開」，「閉」状態表示部が消灯されるように構成されていることである。
また、請求項５は、前記窓が、浴室に設けられた浴室窓であり、前記操作部は、浴室の洗い場から操作可能な浴室内に配置されていることである。
また、請求項６は、前記窓が、浴室に設けられた浴室窓であり、前記操作部は、浴室外に配置されていることである。
【発明の効果】
【０００５】
本発明の窓遠隔開閉装置は、電動機の回転駆動により開閉される窓において、窓から離れた場所で操作可能な操作部には手動式の発電機が設けられ、発電機と電動機が電気コードでつながれていることにより、操作部を手動で操作して、発電機で発電した電気で窓の開閉を遠隔操作することができ、電気を用いて開閉操作するため、操作部の発電機と窓の電動機間を電気コードで接続することができるため、位置的，距離的な自由度が向上し、施工性が良いものとなる。
また、商用電気は用いないため省エネ化できるものとなり、停電時でも良好に窓を開閉できるものとなる。
【０００６】
また、電動機が直流電源によって駆動されるタイプであり、発電機は、直流電源を発電できるタイプであることにより、操作部の回転方向の変更で、発電する電気のプラス、マイナスを切り替え、電動機の回転方向を変更することができ、窓を開けたり閉めたりすることができるものとなる。
【０００７】
また、操作部には、窓の開閉駆動状況が確認できる表示部が設けられていることにより、表示部を見ることで窓の開閉駆動状況が確認できるため、操作時に、窓が開く方向に駆動中であるのか、閉じる方向に駆動中であるのかを操作部で確認できるものとなる。
【０００８】
また、表示部は、窓が開く方向に駆動中に点灯される「開」状態表示部と、窓が閉じる方向に駆動中に点灯される「閉」状態表示部を備え、窓が開閉範囲外に達した場合は、「開」，「閉」状態表示部が消灯されるように構成されていることにより、「開」状態表示部が点灯されていることを見ながら操作部を回して窓を開けてゆくことができ、窓が全開状態となった時には「開」状態表示部が消灯されるため、窓の開操作を良好に終了することができ、電動機に過電流が流れ続けることを良好に防止できるものとなる。
また逆に、「閉」状態表示部を見ながら操作部を回して良好に窓を閉じてゆくことができ、窓が完全に閉じた時には「閉」状態表示部が消灯されるため、完全に窓が閉じられたことを確認でき、発電機の駆動操作を良好に終了できるものとなる。
【０００９】
また、窓が、浴室に設けられた浴室窓であり、操作部は、浴室の洗い場から操作可能な浴室内に配置されていることにより、洗い場から離れた位置にある窓を、浴槽を跨ぐことなく、洗い場から楽に開閉操作することができるものとなる。また、操作部を浴室の工事範囲内で設置できるため、操作部の設置に関する工事の責任区分が明確となる。
【００１０】
また、窓が、浴室に設けられた浴室窓であり、操作部は、浴室外に配置されていることにより、例えば浴室ドア付近の脱衣室側の壁面に設けられた操作部で、浴室内の窓を開閉することができ、浴室ドアを開けなくても、また、洗い場に入らなくても窓の開閉ができる。また、操作部を防水性とする必要がなく、安価に製造できるものとなる。また、表示部を見ることで窓の開閉状況が確認できるため、わざわざ浴室ドアを開けて窓の開閉状態を確認する必要がないものとなる。
【実施例】
【００１１】
以下、本発明の実施例を図面に基づいて説明する。
図１は、浴室の斜視構成図であり、浴室１は、長辺側の壁２と、短辺側の壁３と、天井５と、床面を構成する洗い場６で構成され、長辺側の壁２に沿って浴槽７が設置されており、また短辺側の壁３側には、洗い場６内へ入室できるドア４が設けられている。
本例では、浴槽７に沿って長辺側の壁２に窓８が設けられており、この窓８は、窓枠８ａ内に複数のルーバー羽根を備えた可動ルーバー式の窓で構成されている。
【００１２】
この窓８は、図２の概略断面図で示すような構造となっており、窓枠８ａ内に、上下方向に複数のルーバー羽根１１，１１，１１が、それぞれ軸１１ａ，１１ａ，１１ａを介して回動できるように配置されており、窓枠８ａ内の下部部位には、この複数のルーバー羽根１１，１１，１１を開閉させるための開閉機構部９が設けられ、この開閉機構部９は、直流式の電動機１２の回転により駆動されるように構成されている。
【００１３】
また、洗い場６側のドア４付近の短辺側壁３には、操作部１０が設けられており、この操作部１０は手動で回転させることのできるハンドル１０ａを備え、このハンドル１０ａを回すことで、発電機１３を回転させて直流電気を発電できるように構成され、この発電機１３と、窓８の電動機１２間は電気コード１４でつながれている。
この電気コード１４は、短辺側の壁３の裏側を通して長辺側の壁２の裏側から電動機１２及び発電機１３につなげられている。
【００１４】
このような構成では、洗い場６内で操作部１０のハンドル１０ａを回すことにより、発電機１３で発電され、この発電された電気は電気コード１４を通して電動機１２に供給され、電動機１２が回転されて、これにより開閉機構部９を介してルーバー羽根１１が開閉されるものである。
【００１５】
なお、電動機１２は直流電源によって駆動される直流式のものであり、また、発電機１３は直流電源を発電できる構成であるため、ハンドル１０ａを時計回りに回転させた時と、反時計回りに逆方向に回転させた時では、発電される直流電源のプラスとマイナスが逆になり、これにより電動機１２が逆方向に回転されるものであり、例えばハンドル１０ａを時計方向に回転させた時に、ルーバー羽根１１が開くように構成しておけば、ハンドル１０ａを逆方向、即ち反時計方向に回転させることにより、ルーバー羽根１１を閉じて、窓８を閉止させることができるものとなる。
【００１６】
なお、浴室１の長辺側の壁２に窓８が設けられている場合、洗い場６側から浴槽７内に足を入れないと、窓８を開閉することは困難であったが、本例では、浴室の洗い場６側からハンドル１０ａを回転操作することで、容易に窓８を開閉させることができ、浴槽７を跨ぐことなく窓８を楽に開閉させることができるものとなる。
また、操作部１０は、浴室１の洗い場６から操作可能な浴室内に配置されていることにより、操作部１０を浴室の工事範囲内で設置できるため、操作部１０の設置に関する工事の責任区分が明確となる。
【００１７】
なお、電気コード１４は、機械的なワイヤーやクランクギヤを設置する場合に比べて、施工の自由度が大であり、配線の位置や長さ等をあまり気にすることなく、自由なバリエーションにより、電動機１２と発電機１３間に取り回して配線することができ、施工が容易なものとなる。
【００１８】
なお、本例では、手動式の操作部１０のハンドル１０ａを回転させることで、ルーバー羽根１１を開閉できるものであるため、商用電気を使わないために省エネ化を達成することができ、また、停電時でも良好にルーバー羽根１１を開閉できるものとなる。
【００１９】
なお、操作部１０は、例えば浴室ドア近辺の脱衣室側の壁面に設けても良く、この場合は、脱衣室側の操作部１０で、浴室内の窓８を開閉することができ、浴室ドアを開けなくても、また、洗い場６に入らなくても窓８の開閉ができるものとなる。しかも、操作部１０を防水性とする必要がなく、安価に製造できるものとなる。
【００２０】
図３は、操作部１０を脱衣室側の壁１６に設けた場合を例示するものである。
なお、図３では、浴室１内の壁２には、左右方向に開くスライド窓１５が設けられており、このスライド窓１５の上方に、上端を軸として開閉できる窓８が設けられており、この窓８を開閉する開閉機構部９が電気コード１４を介して操作部１０に接続されている。
【００２１】
なお、操作部１０を詳細に説明すると、使用しない状態では図４に示すような状態としておくことができ、また使用時には図５のような状態にして使用できるものである。また図６には、操作部の構成部材の分解概略斜視図を示す。
【００２２】
操作部１０のハンドル１０ａの先端には、手で握ることのできる握り部１０ｂが設けられており、この握り部１０ｂは、使用しない図４の状態では、操作部１０の前ケース２１に設けられた差込孔２１ａ内に差し込んで、突出部のない状態で収納しておくことができるものである。
使用する時には、差込孔２１ａから握り部１０ｂを抜き出し、ハンドル１０ａを起こして握り部１０ｂを外側に配置させ、この状態で握り部１０を手で握り、ハンドル１０ａを回転させることができるものである。
【００２３】
なお、操作部１０のハンドル１０ａの上部には、右側に「開」状態表示部１７が設けられ、左側に「閉」状態表示部１８が設けられている。
ハンドル１０ａを時計方向に回転させて発電機１３で発電している時には、「開」状態表示部１７が点灯されるように構成されており、また、反時計方向にハンドル１０ａを回した時には、「閉」状態表示部１８が点灯されるように構成されている。
【００２４】
操作部１０は、図６のように、表面にカバー２０が設けられ、このカバー２０に前ケース２１が嵌め込まれ、前ケース２１に、裏側より中ケース２２が配置され、その奥側に発電機１３を備えた制御基板２３が配置され、これらが後ケース２４内に入れられて覆蓋されたものとなっている。
制御基板２３には、前記「開」状態表示部１７の光源となるＬＥＤ１７ａが設けられており、また、前記「閉」状態表示部１８の光源となるＬＥＤ１８ａが設けられている。
【００２５】
なお、ハンドル１０ａから突出した軸１０ｃには、ギヤ２５が設けられており、このギヤ２５と噛合されるギヤ２６，２７が内部に配置されて、ギヤ２５，２６，２７を介してハンドル１０ａの回転速度が増大されて、発電機１３を高速で回転させることができるように構成されている。
なお、制御基板２３の回路のブロック図を図７に示し、また図８には、詳細な回路構成図を示す。
【００２６】
操作部１０のハンドル１０ａが時計方向に回された時には、窓８が開く方向に電動機１２が回転されて、窓８が徐々に開けられるものであり、この場合は、発電機１３で発電された電流がトランジスタ３２ａを通り電動機１２に供給されて、電動機１２が開方向に回転され、この時にＬＥＤ１７ａが点灯されて、「開」状態表示部１７が点灯状態となり、使用者は「開」状態表示部１７が点灯されていることを視認して、窓８が開方向に駆動中であることを良好に認識することができるものである。
【００２７】
窓８が完全に開ききった状態になり、操作部１０のハンドル１０ａを回転し続けた場合、電動機１２には過電流が流れることとなり、電流値が一定以上になると、ツエナーダイオード３１ａがＯＮ状態となって、トランジスタ３２ａへの電流が遮断され、これにより電動機１２への電流の供給が自動的に遮断されるように構成されており、同時にＬＥＤ１７ａへ流れる電流も遮断されて、ＬＥＤ１７ａが消灯状態となるように構成されている。
【００２８】
そのため、使用者は「開」状態表示部１７が点灯状態から消灯状態となった時に、窓８が全開されたことを認識して、操作部１０の回転操作を終了することができるものである。
なお、「開」状態表示部１７は、ＬＥＤ１７ａと抵抗３３ａで構成されており、また、窓８が全開状態（開閉範囲外）に達した場合に、電動機１２及びＬＥＤ１７ａへの電流の供給を停止する「開」方向電流制限部は、ツエナーダイオード３１ａと抵抗３０ａとトランジスタ３２ａで構成されている。
【００２９】
また、使用者がハンドル１０ａを反時計方向に回転させて窓８を閉める時には、「閉」状態表示部１８がＬＥＤ１８ａの点灯により点灯され、発電機１３で発電された電気が電動機１２に供給されて、良好に窓８が閉じられてゆくこととなる。
完全に窓８が閉じられた状態（開閉範囲外）に達した場合には、電動機１２に過電流が流れ続けることとなるため、ツエナーダイオード３１ｂが電流値の上昇によりＯＮして、トランジスタ３２ｂへ電流が流れなくなり、電動機１２への電気の供給が停止され、また、ＬＥＤ１８への電気の供給が停止されて、ＬＥＤ１８ａが消灯することとなる。
従って、使用者は「閉」状態表示部１８が消灯することで、窓８が完全に閉められたことを良好に認識することができるものとなる。
【００３０】
なお、ＬＥＤ１８ａと抵抗３３ｂで「閉」状態表示部１８が構成されている。
また、ツエナーダイオード３１ｂと抵抗３０ｂとトランジスタ３２ｂで「閉」方向電流制限部が構成されている。
なお、図８中、３４，３９はコンデンサーであり、３５，３６，３７，３８はダイオードである。
【００３１】
このように、窓８が開く方向に発電機１３を回した場合に、窓が開く方向に駆動可能であれば、「開」状態表示部１７が発電機１３で発電した電気を用いて点灯され、窓８が開方向であることと、まだ開ききってないことを、操作部１０を見て確認することができ、窓８を閉じる場合も同様に、その状態を確認できるものとなる。
また、開閉範囲外に達した場合は、電動機１２へ過電流が流れ続けることを防止することができるとともに、「開」，「閉」状態の表示部１７，１８の表示が消灯することで、開閉範囲外まで達していることを良好に認識することができ、発電機１３の駆動操作の終了を良好に認識できるものとなる。
従って、わざわざ湿気の多い浴室１内に入室しなくても、またドア４を開けて確認しなくても、脱衣室側から良好に窓８の開閉状態を確認できるものとなる。
【００３２】
なお、本例では、浴室に設けられた窓８を遠隔操作で開閉できる構造を例示しているが、浴室の窓に限らず、手が届き難い場所にある例えば出窓，天窓，高所の窓等においても、このような遠隔開閉装置で開閉できるように構成することができ、また、１つの操作部１０で複数の窓を同時に開閉できるように構成することも可能である。
また更には、ハンドル１０ａに代えて、例えば、紐で引っ張ることにより、発電機１３の軸が回るような構造を採用することもでき、手動で発電機１３を回転させることができるものであれば良い。
【図面の簡単な説明】
【００３３】
【図１】浴室の斜視構成図である。
【図２】浴室に設けられた窓を開閉するための開閉装置の概略構成図である。
【図３】脱衣室側の壁に操作部を設けた場合の斜視構成図である。
【図４】操作部の使用していない状態の斜視構成図である。
【図５】操作部を使用している状態の斜視構成図である。
【図６】操作部の内部構成部材の分解斜視図である。
【図７】発電機と電動機間の回路ブロック構成図である。
【図８】発電機と電動機間の電気回路の詳細図である。
【符号の説明】
【００３４】
１  浴室
２  長辺側の壁
３  短辺側の壁
６  洗い場
７  浴槽
８  窓
８ａ  窓枠
９  開閉機構部
１０  操作部
１０ａ  ハンドル
１０ｂ  握り部
１１  ルーバー羽根
１２  電動機
１３  発電機
１４  電気コード
１５  スライド窓
１６  脱衣室側の壁
１７  「開」状態表示部
１８  「閉」状態表示部
１７ａ，１８ａ  ＬＥＤ
２１ａ  差込孔
２９ａ  「開」方向電流制限部
２９ｂ  「閉」方向電流制限部
３１ａ，３１ｂ  ツエナーダイオード
３２ａ，３２ｂ  トランジスタ
【図１】
2004339919.tif 000003
【図２】
2004339919.tif 000004
【図３】
2004339919.tif 000005
【図４】
2004339919.tif 000006
【図５】
2004339919.tif 000007
【図６】
2004339919.tif 000008
【図７】
2004339919.tif 000009
【図８】
2004339919.tif 000010